(57)【要約】水処理装置が提供される。本発明の一実施の形態による水処理装置は、原水を濾過する浄水フィルタを含む濾過部と、濾過部のうち少なくとも一部によって濾過された浄水で殺菌水を生成する殺菌水生成部と、濾過部によって濾過された浄水を外部に排出する排出部材と、を含んでいる。上記殺菌水生成部で生成された殺菌水は、排出部材、及び、排出部材に連結される流路のうち少なくとも一部を殺菌する。
2018528066.tif 000002
【特許請求の範囲】
【請求項１】
原水を濾過する浄水フィルタを含む濾過部と、
前記濾過部のうち少なくとも一部により濾過された浄水で殺菌水を生成する殺菌水生成部と、
前記濾過部により濾過された浄水を外部に排出する排出部材と、を含み、
前記殺菌水生成部によって生成された殺菌水で、前記排出部材、及び、前記排出部材に連結される流路のうち少なくとも一部を殺菌する、水処理装置。
【請求項２】
前記排出部材はユーザーによって必要とされるときに殺菌され、前記排出部材に連結される流路のうち少なくとも一部は予め設定された第１周期毎に殺菌されるように制御される、請求項１に記載の水処理装置。
【請求項３】
殺菌水で殺菌された、前記排出部材、及び、前記排出部材に連結される流路は、前記濾過部によって濾過された浄水を貯蔵し前記排出部材に連結された貯蔵部の浄水、又は、前記濾過部によって濾過された浄水で洗い流される、請求項１に記載の水処理装置。
【請求項４】
前記殺菌水生成部によって生成された殺菌水で前記貯蔵部を殺菌する、請求項３に記載の水処理装置。
【請求項５】
前記貯蔵部は、予め設定された第２周期毎に殺菌されるように制御される、請求項４に記載の水処理装置。
【請求項６】
殺菌水で殺菌された前記貯蔵部は、前記濾過部によって濾過された浄水でよって洗い流される、請求項５に記載の水処理装置。
【請求項７】
前記殺菌水生成部によって供給されて前記排出部材を介して排出された殺菌水は、ドレン容器に収容され、
前記排出部材は、前記ドレン容器に収容された殺菌水に浸けられて殺菌される、請求項１に記載の水処理装置。
【請求項８】
前記殺菌水生成部は、排出部材殺菌ラインによって前記排出部材に連結される、請求項１に記載の水処理装置。
【請求項９】
前記殺菌水生成部は、貯蔵部殺菌ラインによって前記排出部材に連結され、前記濾過部によって濾過された浄水を貯蔵する貯蔵部と連結されているか、又は、メイン殺菌ラインによって前記濾過部に連結されて前記排出部材に連結される流路と連結されている、請求項８に記載の水処理装置。
【請求項１０】
前記貯蔵部殺菌ライン又はメイン殺菌ライン、及び、前記排出部材殺菌ラインは、それぞれフィード弁を備える、請求項９に記載の水処理装置。
【請求項１１】
前記貯蔵部が、排出側流路切替弁に連結されるか、又は、前記濾過部に連結された前記排出部材と連結される流路が、前記排出側流路切替弁に連結される、請求項９に記載の水処理装置。
【請求項１２】
前記排出部材殺菌ラインは、前記貯蔵部と排出側流路切替弁を連結するライン、又は、前記濾過部とメイン殺菌ラインを前記排出側流路切替弁に連結するラインに連結される、請求項１１に記載の水処理装置。
【請求項１３】
前記排出側流路切替弁は、前記排出部材及びメインドレンラインに連結される、請求項１２に記載の水処理装置。
【請求項１４】
浄水排出弁が備えられた浄水排出ラインは、前記貯蔵部に含まれ、濾過部によって濾過された浄水を貯蔵する浄水タンク、又は、前記濾過部及びメイン殺菌ラインに連結される、請求項１３に記載の水処理装置。
【請求項１５】
冷水排出弁が備えられた冷水排出ラインは、前記貯蔵部に含まれ前記浄水タンクによって供給された浄水を冷却して冷水を生成する冷水タンク、又は、濾過部及びメイン殺菌ラインに連結される、請求項１４に記載の水処理装置。
【請求項１６】
前記冷水排出ラインは、前記濾過部及びメイン殺菌ラインに連結される場合、前記冷水排出ラインに冷水発生器を備える、請求項１５に記載の水処理装置。
【請求項１７】
前記排出側流路切替弁は、第１排出連結ラインによって前記排出部材に連結される、請求項１５に記載の水処理装置。
【請求項１８】
前記冷水排出ラインは、前記排出側流路切替弁に連結される、請求項１７に記載の水処理装置。
【請求項１９】
前記排出部材殺菌ラインは、前記冷水排出ラインに連結される、請求項１５に記載の水処理装置。
【請求項２０】
前記浄水排出ラインは、前記第１排出連結ラインに連結される、請求項１８に記載の水処理装置。
【請求項２１】
前記浄水排出ラインは、前記排出部材に連結される、請求項１８に記載の水処理装置。
【請求項２２】
前記浄水排出ライン及び冷水排出ラインは、第２排出連結ラインによって前記排出側流路切替弁に連結される、請求項１７に記載の水処理装置。
【請求項２３】
前記排出部材殺菌ラインは、前記第２排出連結ラインに連結される、請求項２２に記載の水処理装置。
【請求項２４】
温水排出弁が備えられた温水排出ラインは、前記貯蔵部に含まれ前記浄水タンクから供給された浄水を加熱して温水にする温水タンク、又は、前記濾過部及びメイン殺菌ラインに連結される、請求項１５に記載の水処理装置。
【請求項２５】
前記温水排出ラインは、濾過部及びメイン殺菌ラインに連結される場合、前記温水排出ラインに瞬間温水器を備える、請求項２４に記載の水処理装置。
【請求項２６】
前記温水排出ラインは、前記排出部材に連結される、請求項２４に記載の水処理装置。
【請求項２７】
前記排出部材は、前記排出側流路切替弁に連結される第１排出連結ライン及び外部に連結される冷浄水排出流路と、前記温水排出ライン及び外部に連結される温水排出流路と、を備えている、請求項２６に記載の水処理装置。
【請求項２８】
前記排出部材は、前記浄水排出ライン及び外部に連結される浄水排出流路と、前記排出側流路切替弁に連結される第１排出連結ライン及び外部に連結される冷水排出流路と、前記温水排出ライン及び外部に連結される温水排出流路と、を備えている、請求項２６に記載の水処理装置。
【請求項２９】
前記浄水フィルタは複数個であり、前記殺菌水生成部は、前記複数個の浄水フィルタのうち少なくとも一部の浄水フィルタによって濾過された浄水から殺菌水を生成する、請求項１３に記載の水処理装置。
【請求項３０】
前記複数個の浄水フィルタは、前処理フィルタ、メンブレンフィルタ、及び後カーボンフィルタを含む、請求項２９に記載の水処理装置。
【請求項３１】
前記複数個の浄水フィルタは、前処理フィルタ、直水用フィルタ、及び後カーボンフィルタを含む、請求項２９に記載の水処理装置。
【請求項３２】
前記殺菌水生成部は、前記前処理フィルタによって濾過された浄水から殺菌水を生成する、請求項３０又は３１に記載の水処理装置。
【請求項３３】
前記後カーボンフィルタは、前記濾過部に含まれる前処理フィルタ及びメンブレンフィルタ、又は、前処理フィルタ及び直水用フィルタによって濾過された浄水でフラッシングされ、
前記後カーボンフィルタをフラッシングした浄水は、前記メインドレンラインに排水される、請求項３０又は３１に記載の水処理装置。
【発明の詳細な説明】
【技術分野】
【０００１】
本発明は、水を処理してユーザーに供給する水処理装置に関するものである。
【背景技術】
【０００２】
水処理装置は、水を使用目的に合わせて処理し、処理した水をユーザーに供給する装置である。
【０００３】
かかる水処理装置としては、水を浄水フィルタで濾過してユーザーに提供する浄水器、水をアルカリ水と酸性水に電気分解してユーザーに提供するイオン水器、水と二酸化炭素を混合して炭酸水にしてユーザーに提供する炭酸水生成装置などが挙げられる。
【０００４】
上述したように水を処理する水処理装置は、使用目的に合わせて水を処理し、衛生的な水をユーザーに提供するために、処理する間の水および処理した水が汚染されるのを防止する必要がある。
【０００５】
そのため、処理された水が貯蔵される貯蔵部だけでなく、処理された水が排出される排出部材や、水が流動する流動ラインなど、水処理装置の大部分の構成要素を殺菌する必要性があった。
【発明の概要】
【発明が解決しようとする課題】
【０００６】
本発明は、上記のような従来技術分野で発生する問題または要求の少なくともいずれか一つに鑑みてなされたものである。
【０００７】
本発明の一側面は、濾過部で濾過された浄水を外部に排出する排出部材及び排出部材に連結される流路の少なくとも一部が、殺菌水生成部によって生成された殺菌水を用いて殺菌される、水処理装置を提供する。
【０００８】
本発明の他の側面は、濾過部で濾過された浄水を貯蔵する貯蔵部も、濾過部で濾過された浄水を外部に排出する排出部材及び排出部材に連結される流路のうち少なくとも一部と同様に、殺菌水生成部によって生成された殺菌水を用いて殺菌される、水処理装置を提供する。
【０００９】
本発明のさらに他の側面は、排出部材に連結される流路のうち少なくとも一部が一定周期毎に殺菌される、水処理装置を提供する。
【００１０】
本発明のさらに他の側面は、殺菌水によって殺菌された排出部材及び排出部材に連結される流路が、貯蔵部に貯蔵された浄水又は濾過部によって濾過された浄水で、洗い流される、水処理装置を提供する。
【００１１】
本発明のさらに他の側面は、貯蔵部も、殺菌水によって殺菌される排出部材及び排出部材に連結される流路と同様に、濾過部によって濾過された浄水で洗い流される、水処理装置を提供する。
【００１２】
本発明のさらに他の側面は、濾過部に含まれる後カーボンフィルタが、濾過部に含まれる前処理フィルタ及びメンブレンフィルタ、又は、前処理フィルタ及び直水用フィルタによって濾過された浄水でフラッシングされる、水処理装置を提供する。
【課題を解決するための手段】
【００１３】
上記課題のうちの少なくとも一つの課題を実現するための一実施の形態による水処理装置は次のような特徴を含むことができる。
【００１４】
本発明の一実施の形態による水処理装置は、原水を濾過する浄水フィルタを含む濾過部と、濾過部のうち少なくとも一部により濾過された浄水で殺菌水を生成する殺菌水生成部と、濾過部により濾過された浄水を外部に排出する排出部材と、を含み、殺菌水生成部によって生成された殺菌水で、排出部材、及び、排出部材に連結される流路のうち少なくとも一部を殺菌することができる。
【００１５】
この場合、上記排出部材はユーザーによって必要とされるときに殺菌され、排出部材に連結される流路のうち少なくとも一部は予め設定された第１周期毎に殺菌されるように制御されることができる。
【００１６】
また、殺菌水で殺菌された、排出部材、及び、排出部材に連結される流路は、濾過部によって濾過された浄水を貯蔵し排出部材に連結される貯蔵部に貯蔵された浄水、又は、濾過部によって濾過された浄水で洗い流されることができる。
【００１７】
そして、上記殺菌水生成部によって生成された殺菌水で貯蔵部を殺菌することができる。
【００１８】
また、上記貯蔵部は、予め設定された第２周期毎に殺菌されるように制御されることができる。
【００１９】
そして、殺菌水によって殺菌された貯蔵部は、濾過部によって濾過された浄水で洗い流されることができる。
【００２０】
また、上記殺菌水生成部によって供給されて排出部材を介して排出された殺菌水は、ドレン容器に収容され、排出部材は、ドレン容器に収容された殺菌水に浸けられて殺菌されることができる。
【００２１】
そして、上記殺菌水生成部は、排出部材殺菌ラインによって排出部材に連結されることができる。
【００２２】
また、上記殺菌水生成部は、貯蔵部殺菌ラインによって排出部材に連結され濾過部によって濾過された浄水を貯蔵する貯蔵部と連結されているか、又は、メイン殺菌ラインによって濾過部に連結され、排出部材に連結される流路と連結されることができる。
【００２３】
そして、上記貯蔵部殺菌ライン又はメイン殺菌ライン、及び、排出部材殺菌ラインは、それぞれフィード弁を備えことができる。
【００２４】
また、上記貯蔵部が、排出側流路切替弁に連結されるか、又は、濾過部に連結された排出部材と連結される流路が、前記排出側流路切替弁に連結されることができる。
【００２５】
そして、上記排出部材殺菌ラインは、貯蔵部と排出側流路切替弁を連結するライン、又は、濾過部とメイン殺菌ラインを排出側流路切替弁に連結するラインに連結されることができる。
【００２６】
また、上記排出側流路切替弁は、排出部材及びメインドレンラインに連結されることができる。
【００２７】
そして、浄水排出弁が備えられた浄水排出ラインは、貯蔵部に含まれ、濾過部によって濾過された浄水を貯蔵する浄水タンク、又は、濾過部及びメイン殺菌ラインに連結されることができる。
【００２８】
また、冷水排出弁が備えられた冷水排出ラインは、貯蔵部に含まれ浄水タンクによって供給された浄水を冷却して冷水を生成する冷水タンク、又は、冷水排出ラインは、濾過部及びメイン殺菌ラインに連結されることができる。
【００２９】
そして、上記冷水排出ラインは、濾過部及びメイン殺菌ラインに連結される場合、冷水排出ラインに冷水発生器を備えることができる。
【００３０】
また、上記排出側流路切替弁は、第１排出連結ラインによって排出部材に連結されることができる。
【００３１】
そして、上記冷水排出ラインは、排出側流路切替弁に連結されることができる。
【００３２】
また、上記排出部材殺菌ラインは、冷水排出ラインに連結されることができる。
【００３３】
そして、上記浄水排出ラインは、第１排出連結ラインに連結されることができる。
【００３４】
また、上記浄水排出ラインは、排出部材に連結されることができる。
【００３５】
そして、上記浄水排出ライン及び冷水排出ラインは、第２排出連結ラインによって排出側流路切替弁に連結されることができる。
【００３６】
また、上記排出部材殺菌ラインは、第２排出連結ラインに連結されることができる。
【００３７】
そして、温水排出弁が備えられた温水排出ラインは、貯蔵部に含まれ前記浄水タンクから供給された浄水を加熱して温水にする温水タンク、又は、濾過部及びメイン殺菌ラインに連結されることができる。
【００３８】
また、上記温水排出ラインは、濾過部及びメイン殺菌ラインに連結される場合、温水排出ラインに瞬間温水器を備えることができる。
【００３９】
そして、上記温水排出ラインは、排出部材に連結されることができる。
【００４０】
また、上記排出部材は、排出側流路切替弁に連結される第１排出連結ライン及び外部に連結される冷浄水排出流路と、温水排出ライン及び外部に連結される温水排出流路と、を備えることができる。
【００４１】
そして、上記排出部材は、浄水排出ライン及び外部に連結される浄水排出流路と、排出側流路切替弁に連結される第１排出連結ライン及び外部に連結される冷水排出流路と、温水排出ライン及び外部に連結される温水排出流路と、を備えることができる。
【００４２】
また、上記浄水フィルタは複数個であり、殺菌水生成部は、複数個の浄水フィルタのうち少なくとも一部の浄水フィルタによって濾過された浄水から殺菌水を生成することができる。
【００４３】
そして、上記複数個の浄水フィルタは、前処理フィルタ、メンブレンフィルタ、及び後カーボンフィルタを含むことができる。
【００４４】
また、上記複数個の浄水フィルタは、前処理フィルタ、直水用フィルタ、及び後カーボンフィルタを含むことができる。
【００４５】
そして、上記殺菌水生成部は、前処理フィルタによって濾過された浄水から殺菌水を生成することができる。
【００４６】
また、上記後カーボンフィルタは、濾過部に含まれる前処理フィルタ及びメンブレンフィルタ、又は、前処理フィルタ及び直水用フィルタによって濾過された浄水でフラッシングされ、後カーボンフィルタをフラッシングした浄水は、メインドレンラインに排水されることができる。
【発明の効果】
【００４７】
以上のように、開示した本発明によれば、濾過部によって濾過された浄水を外部に排出する排出部材、及び、排出部材に連結される流路のうち少なくとも一部を、殺菌水生成部によって生成された殺菌水で、殺菌することができる。
【００４８】
また、開示した本発明によれば、濾過部によって濾過された浄水を貯蔵する貯蔵部も、殺菌水生成部によって生成された殺菌水で殺菌することができる。
【００４９】
また、開示した本発明によれば、排出部材に連結される流路のうち少なくとも一部を一定周期毎に殺菌するようにすることができる。
【００５０】
また、開示した本発明によれば、殺菌水で殺菌された、排出部材、及び、排出部材に連結される流路を、貯蔵部に貯蔵された浄水、又は濾過部によって濾過された浄水で洗い流すようにすることができる。
【００５１】
また、開示した本発明によれば、貯蔵部も、濾過部によって濾過された浄水で洗い流すようにすることができる。
【００５２】
また、開示した本発明によれば、濾過部に含まれる後カーボンフィルタを、濾過部に含まれる前処理フィルタ及びメンブレンフィルタ、又は、前処理フィルタ及び直水用フィルタによって濾過された浄水でフラッシングするようにすることができる。
【図面の簡単な説明】
【００５３】
【図１】本発明による水処理装置の第１の実施の形態を示す図である。
【図２】本発明による水処理装置の第１の実施の形態の作動を示す図であって、濾過部で濾過された浄水が貯蔵部に貯蔵された後、排出部材を介して外部に排出されることを示す。
【図３】本発明による水処理装置の第１の実施の形態の作動を示す図であって、濾過部に含まれる後カーボンフィルタをフラッシングすることを示す。
【図４】本発明による水処理装置の第１の実施の形態の作動を示す図であって、貯蔵部に貯蔵された浄水を排水することを示す。
【図５】本発明による水処理装置の第１の実施の形態の作動を示す図であって、殺菌部生成部によって生成された殺菌水で貯蔵部を殺菌することを示す。
【図６】本発明による水処理装置の第１の実施の形態の作動を示す図であって、殺菌水で殺菌された貯蔵部を、濾過部によって濾過された浄水で洗い流すことを示す。
【図７】本発明による水処理装置の第１の実施の形態の作動を示す図であって、殺菌部生成部によって生成された殺菌水で排出部材を殺菌することを示す。
【図８】本発明による水処理装置の第１の実施の形態の作動を示す図であって、殺菌水で殺菌された排出部材を、貯蔵部に貯蔵された浄水で洗い流すことを示す。
【図９】本発明による水処理装置の第１の実施の形態の作動を示す図であって、殺菌部生成部により生成された殺菌水で、貯蔵部と排出部材を連結する流路を殺菌することを示す。
【図１０】本発明による水処理装置の第１の実施の形態の作動を示す図であって、殺菌水で殺菌された貯蔵部と排出部材とを連結する流路を、貯蔵部に貯蔵された浄水で殺菌することを示す。
【図１１】本発明による水処理装置の第２の実施の形態を示す図である。
【図１２】本発明による水処理装置の第３の実施の形態を示す図である。
【図１３】本発明による水処理装置の第４の実施の形態を示す図である。
【発明を実施するための形態】
【００５４】
上述した本発明の特徴の理解を助けるために、以下に本発明の水処理装置をより詳細に説明する。
【００５５】
以下に説明する実施の形態では、本発明の技術的な特徴を理解させるのに適した複数の実施の形態に基づいて説明するが、本発明の技術的な特徴は、説明される実施の形態により制限されるものではなく、本発明は、他の実施の形態で実施することもできる。したがって、本発明は、以下で説明される実施の形態を本発明の技術範囲内で様々に変形または変更して実施することが可能であり、このような実施の形態の変形または変更は本発明の技術範囲内に属する。そして、以下に説明される実施の形態の理解を助けるために、添付された図面に記載された符号に関して、各実施の形態において機能が同じ構成要素に対しては、同一又は同様の参照符号で表記した。
【００５６】
水処理装置の第１の実施の形態
以下、図１〜図１０を参照して、本発明による水処理装置１００の第１の実施の形態について説明する。
【００５７】
図１は本発明による水処理装置の第１の実施の形態を示す図であり、図２〜図１０は本発明による水処理装置の第１の実施の形態の作動を示す図である。
【００５８】
本発明による水処理装置１００の第１の実施の形態は、濾過部２００、貯蔵部３００、殺菌水生成部４００、及び排出部材５００を含むことができる。
【００５９】
濾過部２００では原水を濾過することができる。
【００６０】
このため、濾過部２００は、図１に示すように原水供給ラインＬ１を介して水道や原水タンクなどの原水供給源（図示せず）に連結されることができる。また、濾過部２００は、原水を濾過する浄水フィルタを含むことができる。
【００６１】
濾過部２００に含まれる浄水フィルタは、複数個備えることができる。複数個の浄水フィルタは、例えば、図１に示すように、前処理フィルタ２１０、メンブレンフィルタ２２０、及び後カーボンフィルタ２３０を含むことができる。
【００６２】
しかしながら、複数個の浄水フィルタは、特に限定されることはなく、原水を濾過することができる浄水フィルタであればいかなるものであってもよい。
【００６３】
前処理フィルタ２１０は、例えば、従来の沈殿フィルタとプレカーボンフィルタの複合したものとすることができるが、個別に構成されたものとすることもできる。前処理フィルタ２１０の構成は、特に限定されることはなく、原水を濾過する構成であれば、周知のいかなる構成のものを用いることができる。
【００６４】
前処理フィルタ２１０は、上述の原水供給ラインＬ１に連結されることができる。これにより、原水供給ラインＬ１を介して濾過部２００に流入した原水供給源の原水は、図２に示すように、前処理フィルタ２１０により最初に濾過されることができる。
【００６５】
メンブレンフィルタ２２０は、前処理フィルタ２１０によって濾過された浄水をさらに濾過することができる。例えば、比較的大きな異物は前処理フィルタ２１０によって濾過され、比較的小さな異物はメンブレンフィルタ２２０によって濾過されるようにすることができる。
【００６６】
このため、メンブレンフィルタ２２０は、浄水ラインＬ２、Ｌ３によって前処理フィルタ２１０に連結されることができる。また、浄水ラインＬ２には原水遮断弁ＮＯＳを備え、浄水ラインＬ３にはフィード弁ＦＶ１を備えることができる。しかしながら、原水遮断弁ＮＯＳを備える位置は、原水の流入を遮断することができれば、特に限定されることはない。
【００６７】
これにより、図２に示すように、原水遮断弁ＮＯＳが開くと、原水供給源の原水が前処理フィルタ２１０に流入して濾過され、フィード弁ＦＶ１が開くと、前処理フィルタ２１０によって濾過された浄水がメンブレンフィルタ２２０に流入して濾過されることができる。
【００６８】
メンブレンフィルタ２２０は、例えば、流入した水の一部を濾過して、残りを濾過することなく生活用水として外部に排水する、逆浸透メンブレンフィルタとすることができる。
【００６９】
この場合、メンブレンフィルタ２２０には、図１に示すように、生活用水ラインＬ１０を連結することができる。また、生活用水ラインＬ１０は、生活用水を外部へ排出するとともにメンブレンフィルタ２２０に所定の圧力を維持する、生活用水弁ＤＶを備えることができる。また、生活用水ラインＬ１０は、メインドレンラインＤＬ１に連結されることができる。
【００７０】
これにより、メンブレンフィルタ２２０によって濾過しなかった生活用水は、図２に示すように、生活用水弁ＤＶ及び生活用水ラインＬ１０を通ってメインドレンラインＤＬ１に流入することができる。そして、メインドレンラインＤＬ１に流入した生活用水は、メインドレンラインＤＬ１を流動して外部に排水されることができる。
【００７１】
しかしながら、メンブレンフィルタ２２０は、上述の逆浸透メンブレンフィルタに限定されることはなく、前処理フィルタ２１０で濾過された浄水をさらに濾過することができるものであれば、ＵＦメンブレン（中空糸膜）フィルタなど、周知のいかなる浄水フィルタであってもよい。
【００７２】
後カーボンフィルタ２３０は、メンブレンフィルタ２２０によって濾過された浄水をさらに濾過することができる。例えば、後カーボンフィルタ２３０では、臭気原因物質や細菌などを濾過することができる。
【００７３】
このため、後カーボンフィルタ２３０は、浄水ラインＬ４によってメンブレンフィルタ２２０に連結されており、図２に示すように、メンブレンフィルタ２２０によって濾過された浄水は後カーボンフィルタ２３０に流入して濾過されることができる。
【００７４】
一方、後カーボンフィルタ２３０によって濾過して、後カーボンフィルタ２３０に蓄積された臭気原因物質や細菌などが所定量以上になると、それ以上後カーボンフィルタ２３０を介して臭気原因物質や細菌などが濾過されなくなる。
【００７５】
この場合には、後カーボンフィルタ２３０から排出される浄水は、臭気原因物質や細菌などが含まれた状態で、濾過部２００によって濾過された浄水を貯蔵する貯蔵部３００に流入して貯蔵され、これにより、貯蔵部３００で細菌が増殖したり悪臭が発生する原因となる。
【００７６】
また、後カーボンフィルタ２３０に蓄積された細菌は、後カーボンフィルタ２３０で増殖することがある。
【００７７】
したがって、後カーボンフィルタ２３０に蓄積された臭気原因物質や細菌などを取り除くために、後カーボンフィルタ２３０を定期的にフラッシングする必要がある。
【００７８】
後カーボンフィルタ２３０は、図３に示すように、前処理フィルタ２１０及びメンブレンフィルタ２２０によって濾過された浄水でフラッシングされることができる。
【００７９】
このため、後カーボンフィルタ２３０は、浄水ラインＬ５によって濾過側流路切替弁Ｖ１に連結されることができる。また、濾過側流路切替弁Ｖ１は、ドレン連結ラインＤＬＣによってメインドレンラインＤＬ１に連結されることができる。
【００８０】
これにより、図３に示すように、例えば、原水遮断弁ＮＯＳ及びフィード弁ＦＶ１が開いて濾過側流路切替弁Ｖ１がドレン連結ラインＤＬＣに切り替わると、前処理フィルタ２１０及びメンブレンフィルタ２２０によって濾過された浄水は、後カーボンフィルタ２３０に流入して後カーボンフィルタ２３０をフラッシングすることができる。
【００８１】
そして、後カーボンフィルタ２３０をフラッシングした後の浄水は、図３に示すように、ドレン連結ラインＤＬＣを介してメインドレンラインＤＬ１に流入し、メインドレンラインＤＬ１を流動して外部に排水されることができる。
【００８２】
このように、前処理フィルタ２１０及びメンブレンフィルタ２２０によって濾過された浄水で後カーボンフィルタ２３０をフラッシングすると、メンブレンフィルタ２２０によって濾過されてＴＤＳ（Ｔｏｔａｌ  Ｄｉｓｓｏｌｖｅｄ  Ｓｏｌｉｄｓ、総溶存固形物）濃度が相対的に低い浄水で後カーボンフィルタ２３０をフラッシングすることができる。
【００８３】
これにより、フラッシング後の後カーボンフィルタ２３０に残っている浄水のＴＤＳ濃度が低くなるため、後カーボンフィルタ２３０をフラッシングした後の再浄水時に、濾過部２００によって濾過されて貯蔵部３００に貯蔵される浄水のＴＤＳ濃度を減少させることができる。
【００８４】
そして、ユーザーにＴＤＳ濃度が相対的に低い浄水を供給することができる。
【００８５】
一方、ドレン連結ラインＤＬＣは逆流防止弁ＣＶ２を備えており、ドレン連結ラインＤＬＣからメインドレンラインＤＬ１への流動は可能であるが、メインドレンラインＤＬ１からドレン連結ラインＤＬＣへの流動を防止することができる。
【００８６】
貯蔵部３００は、濾過部２００によって濾過された浄水を貯蔵することができる。このため、貯蔵部３００は、浄水連結ラインＬ６によって濾過部２００と連結されることができる。
【００８７】
例えば、図３に示すように、浄水ラインＬ５によって濾過部２００の後カーボンフィルタ２３０に連結された、上述の濾過側流路切替弁Ｖ１に浄水連結ラインＬ６が連結されることができる。
【００８８】
また、例えば、上述したように濾過側流路切替弁Ｖ１がドレン連結流路ＤＬＣから浄水連結ラインＬ６に切り替わると、図２に示すように、濾過部２００で濾過された浄水が貯蔵部３００に流入して貯蔵されることができる。
【００８９】
貯蔵部３００は、浄水タンク３１０及び冷水タンク３２０を含むことができる。
【００９０】
浄水タンク３１０は、濾過部２００によって濾過された浄水を貯蔵することができる。このため、浄水タンク３１０は、上述の浄水連結ラインＬ６に連結されることができる。そして、上述するとともに図２に示したように、濾過側流路切替弁Ｖ１が浄水連結ラインＬ６に切り替わると、濾過部２００によって濾過された浄水が浄水連結ラインＬ６を介して浄水タンク３１０に流入して貯蔵されることができる。
【００９１】
冷水タンク３２０は、浄水タンク３１０から供給された浄水を冷却して、冷水を生成することができる。
【００９２】
このため、浄水タンク３１０と冷水タンク３２０は、一つのタンクとして一体に形成し、連結孔（図示せず）が形成された分離部材（図示せず）によって、上部の浄水タンク３１０と、下部の冷水タンク３２０とに区画されることができる。
【００９３】
この場合、浄水タンク３１０に流入した浄水は、分離部材の連結孔を介して冷水タンク３２０に流入して貯蔵されることができる。
【００９４】
しかしながら、冷水タンク３２０は、浄水タンク３１０と別のタンクで形成し、連結ライン（図示せず）によって浄水タンク３１０に連結されて、浄水タンク３１０から浄水の供給を受けることもできる。
【００９５】
冷水タンク３２０には、冷媒が流動する蒸発器（図示せず）や、電源が印加されると、一側から他側に熱の伝達が行われる熱電モジュール（図示せず）などの冷却ユニット（図示せず）を備えることができる。これにより、浄水タンク３１０から冷水タンク３２０に流入して貯蔵された浄水は、冷却ユニットによって冷却されることで冷水となることができる。
【００９６】
浄水タンク３１０には、浄水排出弁ＷＶ１が備えられた浄水排出ラインＰＬ１を連結することができる。また、冷水タンク３２０には、冷水排出弁ＷＶ２を備えた冷水排出ラインＰＬ２に連結することができる。
【００９７】
そして、排出側流路切替弁Ｖ２は、第１排出連結ラインＰＬＷによって排出部材５００に連結されることができる。また、冷水排出ラインＰＬ２は、排出側流路切替弁Ｖ２に連結され、浄水排出ラインＰＬ１は、第１排出連結ラインＰＬＷに連結されることができる。
【００９８】
これにより、浄水排出弁ＷＶ１が開くと、図２に示したように、浄水タンク３１０に貯蔵された浄水は、浄水排出ラインＰＬ１及び第１排出連結ラインＰＬＷを流動した後、排出部材５００を介して外部に排出されて、ユーザーに供給されることができる。
【００９９】
また、排出側流路切替弁Ｖ２が第１排出連結ラインＰＬＷに切り替わった状態で、冷水排出弁ＷＶ２が開くと、図２に示したように、冷水タンク３２０に貯蔵された冷水は、冷水排出ラインＰＬ２及び第１排出連結ラインＰＬＷを流動した後、排出部材５００を介して外部に排出されて、ユーザーに供給されることができる。
【０１００】
一方、貯蔵部３００は、温水タンク３３０をさらに含むことができる。
【０１０１】
温水タンク３３０は、浄水タンク３１０から供給された浄水を加熱して温水とすることができる。このため、温水タンク３３０は、浄水タンク３１０とは別のタンクからなり、連結ライン（図示せず）によって浄水タンク３１０に連結されることができる。
【０１０２】
しかし、温水タンク３３０は、いかなる構成であってもよい。たとえば、温水タンク３３０は、上述の冷水タンク３２０のように浄水タンク３１０と一つのタンクとして一体に形成し、連結孔が形成された分離部材によって、上部の浄水タンク３１０と、下部の温水タンク３３０とに区画されることができる。
【０１０３】
温水タンク３３０は、電熱線などの加熱ユニット（図示せず）を備えることができる。
【０１０４】
これにより、浄水タンク３１０から温水タンク３３０に流入して貯蔵された浄水は、加熱ユニットによって加熱されて温水となることができる。
【０１０５】
温水タンク３３０は、温水排出弁ＷＶ３を備えた温水排出ラインＰＬ３によって排出部材５００に連結されることができる。
【０１０６】
これにより、温水排出弁ＷＶ３が開くと、図２に示すように、温水タンク３３０に貯蔵された温水は、温水排出ラインＰＬ３を流動した後、排出部材５００を介して外部に排出されて、ユーザーに供給されることができる。
【０１０７】
一方、温水タンク３３０は、温水ドレンラインＤＬ２に連結されて、温水タンク３３０に貯蔵された温水を外部に排水することができる。
【０１０８】
殺菌水生成部４００は、濾過部２００のうち少なくとも一部によって濾過された浄水から、殺菌水を生成することができる。殺菌水生成部４００は、上述したように濾過部２００が複数個の浄水フィルタを含む場合に、複数個の浄水フィルタのうち少なくとも一部の浄水フィルタによって濾過された浄水から、殺菌水を生成することができる。
【０１０９】
例えば、図１に示すように、濾過部２００に含まれる複数個の浄水フィルタが前処理フィルタ２１０、メンブレンフィルタ２２０、及び後カーボンフィルタ２３０である場合に、殺菌水生成部４００は、前処理フィルタ２１０によって濾過された浄水から、殺菌水を生成することができる。
【０１１０】
このため、殺菌水生成部４００は、フィード弁ＦＶ２を備えた殺菌水生成ラインＬ７によって、前処理フィルタ２１０に連結されるとともに原水遮断弁ＮＯＳを備えた浄水ラインＬ２に連結されることができる。
【０１１１】
そして、原水遮断弁ＮＯＳが開いた状態で、フィード弁ＦＶ２が開くと、図５に示すように、前処理フィルタ２１０によって濾過された浄水は、浄水ラインＬ２及び殺菌水生成ラインＬ７を流動して殺菌水生成部４００に流入することができる。
【０１１２】
殺菌水生成部４００では、前処理フィルタ２１０及びメンブレンフィルタ２２０によって濾過された浄水から殺菌水を生成することもでき、前処理フィルタ２１０、メンブレンフィルタ２２０、及び後カーボンフィルタ２３０によって濾過された浄水から殺菌水を生成することもできる。
【０１１３】
また、殺菌水生成部４００は、メンブレンフィルタ２２０のみ、又は後カーボンフィルタ２３０のみにより濾過された浄水から、殺菌水を生成することもでき、前処理フィルタ２１０及び後カーボンフィルタ２３０によって濾過された浄水から殺菌水を生成することもできる。例えば、殺菌水生成部４００に流入する前に原水を濾過する濾過部２００の浄水フィルタの数や種類は、特に限定されることはなく、いかなる数又は種類の浄水フィルタであってもよい。
【０１１４】
上述の殺菌水生成ラインＬ７は、定流量弁ＣＦＶを備えることができる。これにより、殺菌水生成部４００に所定の一定流量の浄水を流入させることができる。
【０１１５】
殺菌水生成部４００は、例えば、水を電気分解することにより殺菌水を生成することができる。しかしながら、殺菌水生成部４００で殺菌水を生成するための構成は、特に限定されることはなく、殺菌水生成部４００に流入した浄水に殺菌剤を投入して殺菌水を生成するなど、殺菌水を生成するものであれば、周知のいかなる構成を使用することができる。
【０１１６】
殺菌水生成部４００によって生成された殺菌水を用いて、排出部材５００、及び排出部材５００に連結される流路のうち少なくとも一部、例えば、貯蔵部３００と排出部材５００を連結する流路のうち少なくとも一部を殺菌することができる。
【０１１７】
また、殺菌水生成部４００により生成された殺菌水を用いて、貯蔵部３００も殺菌することができる。
【０１１８】
このため、殺菌水生成部４００は、貯蔵部殺菌ラインＬ８及び排出部材殺菌ラインＬ９によって貯蔵部３００及び排出部材５００にそれぞれ連結されることができる。また、貯蔵部殺菌ラインＬ８及び排出部材殺菌ラインＬ９は、フィード弁ＦＶ３、ＦＶ４をそれぞれ備えることができる。
【０１１９】
また、排出部材殺菌ラインＬ９は、貯蔵部３００と排出側流路切替弁Ｖ２を連結するライン、例えば、図１に示すように、冷水排出ラインＰＬ２に連結されることができる。そして、排出側流路切替弁Ｖ２は、メインドレンラインＤＬ１に連結されることができる。
【０１２０】
このような構成では、殺菌水生成部４００で殺菌水が生成され、貯蔵部殺菌ラインＬ８に備えられたフィード弁ＦＶ３が開くと、殺菌水生成部４００で生成された殺菌水は、貯蔵部殺菌ラインＬ８によって貯蔵部３００、例えば、図５に示すように、貯蔵部３００の浄水タンク３１０及び冷水タンク３２０に流入して、浄水タンク３１０及び冷水タンク３２０を殺菌することができる。
【０１２１】
また、所定の時間が経過した後、冷水排出弁ＷＶ２が開いて排出側流路切替弁Ｖ２がメインドレンラインＤＬ１に切り替わると、浄水タンク３１０及び冷水タンク３２０を殺菌した殺菌水は、図５に示すように、冷水排出ラインＰＬ２を介してメインドレンラインＤＬ１に流入することができる。
【０１２２】
これにより、冷水排出ラインＰＬ２も殺菌されることができる。そして、メインドレンラインＤＬ１に流入した殺菌水は、メインドレンラインＤＬ１を流動して外部に排水されることができる。
【０１２３】
かかる殺菌水による貯蔵部３００の殺菌は、数日、例えば、予め設定された周期（例えば、５日）に一回行うことができる。しかし、貯蔵部３００の殺菌周期は特に限定されることはない。
【０１２４】
一方、上述の貯蔵部３００が殺菌水により殺菌される前には、図４に示すように、貯蔵部３００に貯蔵された浄水を部分的に排水したり、全部排水することができる。
【０１２５】
例えば、冷水排出弁ＷＶ２が開いて排出側流路切替弁Ｖ２がメインドレンラインＤＬ１に切り替わると、浄水タンク３１０及び冷水タンク３２０に貯蔵された浄水及び冷水は、図４に示すように、冷水排出ラインＰＬ２を介してメインドレンラインＤＬ１に流入することができる。
【０１２６】
そして、メインドレンラインＤＬ１に流入した浄水及び冷水は、メインドレンラインＤＬ１を流動して外部に排水されることができる。
【０１２７】
このような構成では、殺菌水生成部４００で殺菌水が生成され、排出部材殺菌ラインＬ９に備えられたフィード弁ＦＶ４が開いて、排出側流路切替弁Ｖ２が第１排出連結ラインＰＬＷに切り替わると、図７に示すように、殺菌水生成部４００で生成された殺菌水が、排出部材殺菌ラインＬ９、冷水排出ラインＰＬ２、及び第１排出連結ラインＰＬＷを介して排出部材５００に流入する。
【０１２８】
この場合、排出部材５００の下にドレン容器６００を配置すると、排出部材５００に流入した殺菌水を排出部材５００から排出してドレン容器６００に収容することができる。そして、図７に示すように、ドレン容器６００に収容された殺菌水に排出部材５００が浸かることで、排出部材５００が殺菌されることができる。かかるドレン容器６００のサイズや形状は、特に限定されることはなく、排出部材５００を収容することができるサイズや形状であれば、いかなるサイズや形状であってもよい。
【０１２９】
かかる殺菌水による排出部材５００の殺菌は、ユーザーが必要とするときに行うことができる。しかしながら、排出部材５００の殺菌周期は特に限定されることはない。
【０１３０】
上述のように排出部材５００を殺菌するときには、殺菌水が流動すると同時に冷水排出ラインＰＬ２及び第１排出連結ラインＰＬＷも殺菌されることができる。
【０１３１】
一方、冷水排出ラインＰＬ２などのように貯蔵部３００と排出部材５００を連結する流路は、頻繁に殺菌する必要があり、そのため、予め設定された周期、又は、ユーザーが所望するときに殺菌水により殺菌するだけでは、上述のように、充分でない可能性がある。
【０１３２】
例えば、冷水排出ラインＰＬ２などのように貯蔵部３００と排出部材５００を連結する流路のうち少なくとも一部は、比較的短く予め設定された期間を経過する毎に、たとえば毎日、殺菌する必要がある。
【０１３３】
このため、殺菌水生成部４００で殺菌水が生成された状態で、排出部材殺菌ラインＬ９に備えられたフィード弁ＦＶ４を開き、排出側流路切替弁Ｖ２をメインドレンラインＤＬ１に切り替えることができる。これにより、図９に示すように、殺菌水生成部４００によって生成された殺菌水は、例えば、排出部材殺菌ラインＬ９によって冷水排出ラインＰＬ２に流入することができる。
【０１３４】
そして、殺菌水が冷水排出ラインＰＬ２を流動すると同時に、冷水排出ラインＰＬ２が殺菌されることができる。このように、冷水排出ラインＰＬ２を殺菌した殺菌水は、排出側流路切替弁Ｖ２を介してメインドレンラインＤＬ１に流入し、メインドレンラインＤＬ１を流動した後、外部に排水されることができる。
【０１３５】
これにより、貯蔵部３００と排出部材５００を連結する流路、例えば、冷水排出ラインＰＬ２を毎日殺菌することができる。
【０１３６】
一方、上述のように、殺菌水によって殺菌された、貯蔵部３００、排出部材５００、及び貯蔵部３００と排出部材５００を互いに連結する流路は、貯蔵部３００に貯蔵された浄水、又は濾過部２００によって濾過された浄水で洗い流されることができる。
【０１３７】
例えば、貯蔵部３００は、殺菌水によって殺菌された後、図６に示すように、濾過部２００で濾過された浄水により洗い流されることができる。
【０１３８】
このため、貯蔵部３００が殺菌水で殺菌されると、原水遮断弁ＮＯＳ、フィード弁ＦＶ１、及び冷水排出弁ＷＶ２が開き、濾過側流路切替弁Ｖ１が浄水連結ラインＬ６に切り替わり、排出側流路切替弁Ｖ２がメインドレンラインＤＬ１に切り替わる。
【０１３９】
これにより、図６に示すように、濾過部２００によって濾過された浄水が貯蔵部３００、例えば、貯蔵部３００の浄水タンク３１０及び冷水タンク３２０に流入して、浄水タンク３１０及び冷水タンク３２０を洗い流すことができる。そして、このように浄水タンク３１０及び冷水タンク３２０を洗い流した浄水は、冷水排出ラインＰＬ２を流動すると同時に上記冷水排出ラインＰＬ２を洗い流した後、メインドレンラインＤＬ１を介して外部に排水されることができる。
【０１４０】
排出部材５００が殺菌された後、図８に示すように、排出部材５００は貯蔵部３００に貯蔵された浄水で洗い流されることができる。
【０１４１】
このため、排出部材５００が殺菌された後、冷水排出弁ＷＶ２が開き、排出側流路切替弁Ｖ２が第１排出連結ラインＰＬＷに切り替わる。
【０１４２】
これにより、冷水タンク３２０に貯蔵された冷水は、冷水排出ラインＰＬ２及び第１排出連結ラインＰＬＷを介して排出部材５００に流入する。
【０１４３】
また、排出部材５００に流入した冷水は、排出部材５００から排出されて、排出部材５００の下に配置されたドレン容器６００に流入し、そのなかに収容される。そして、排出部材５００は、ドレン容器６００に収容された冷水に浸かるようになる。
【０１４４】
これにより、排出部材５００は、冷水により洗い流されることができる。
【０１４５】
この場合、浄水排出弁ＷＶ１が開いて、浄水タンク３１０の浄水が浄水排出ラインＰＬ１及び第１排出連結ラインＰＬＷを介して排出部材５００に流入することができるので、浄水タンク３１０の浄水で排出部材５００を洗い流すこともできる。
【０１４６】
また、温水排出弁ＷＶ３が開いて温水タンク３３０の温水が温水排出ラインＰＬ３を介して排出部材５００に流入するようにすることで、温水タンク３３０の温水で排出部材５００を洗い流すこともできる。
【０１４７】
冷水排出ラインＰＬ２は、殺菌された後、図１０に示すように、貯蔵部３００に貯蔵された浄水で洗い流されることができる。
【０１４８】
このため、冷水排出ラインＰＬ２が殺菌された後は、冷水排出弁ＷＶ２が開いて、排出側流路切替弁Ｖ２がメインドレンラインＤＬ１に切り替わる。
【０１４９】
これにより、冷水タンク３２０に貯蔵された冷水が冷水排出ラインＰＬ２に流入して、冷水排出ラインＰＬ２を洗い流すことができる。
【０１５０】
そして、冷水排出ラインＰＬ２を洗った後の冷水は、メインドレンラインＤＬ１に流入して、メインドレンラインＤＬ１を介して流動し、その後外部に排水されることができる。
【０１５１】
一方、メインドレンラインＤＬ１には排水ポンプ７００を設けて、メインドレンラインＤＬ１を介して円滑に排水を行うことができるようにすることができる。そして、メインドレンラインＤＬ１には逆流防止弁ＣＶ１を設けて、メインドレンラインＤＬ１を介して排水を行うときに、逆流が発生しないようにすることができる。
【０１５２】
排出部材５００は、濾過部２００で濾過された浄水、例えば、貯蔵部３００に貯蔵された浄水が排出部材５００を介して外部に排出されるようにすることができる。このため、排出部材５００には、第１排出連結ラインＰＬＷと外部とに連結される冷浄水排出流路５１０、及び、温水排出ラインＰＬ３と外部とに連結される温水排出流路５３０が形成されることができる。
【０１５３】
浄水又は冷水は、冷浄水排出流路５１０を介して外部に排出し、ユーザーに供給することができる。また、温水は、温水排出流路５３０を介して外部に排出し、ユーザーに供給することができる。
【０１５４】
水処理装置の第２の実施の形態
以下、図１１を参照して本発明による水処理装置の第２の実施の形態について説明する。
【０１５５】
図１１は本発明による水処理装置の第２の実施の形態を示す図である。
【０１５６】
ここで、本発明による水処理装置の第２の実施の形態は、浄水排出ラインＰＬ１が第１排出連結ラインＰＬＷに連結されておらず、排出部材５００に直接連結されるという点で、上記図１〜図１０を参考にして説明した本発明による水処理装置の第１の実施の形態と異なる。
【０１５７】
したがって、第２の実施の形態では、第１の実施の形態と異なる構成を中心に説明し、第１の実施の形態と同様の構成については、上記図１〜図１０を参照して説明したものに置き換えることができる。
【０１５８】
図１１に示すように、本発明による水処理装置の第２の実施の形態における浄水排出ラインＰＬ１は、排出部材５００に直接連結されることができる。
【０１５９】
この場合、排出部材５００には、浄水排出ラインＰＬ１に連結されると同時に外部に連結される浄水排出流路５１０’と、第１排出連結ラインＰＬＷに連結されると同時に外部に連結される冷水排出流路５２０と、温水排出ラインＰＬ３に連結されると同時に外部に連結される温水排出流路５３０とを備えることができる。
【０１６０】
浄水は、浄水排出流路５１０’を介して外部に排出されて、ユーザーに供給されることができる。また、冷水は、冷水排出流路５２０を介して外部に排出されて、ユーザーに供給されることができる。そして、温水は、温水排出流路５３０を介して外部に排出されて、ユーザーに供給されることができる。
【０１６１】
水処理装置の第３の実施の形態
以下、図１２を参照して本発明による水処理装置の第３の実施の形態について説明する。
【０１６２】
図１２は本発明による水処理装置の第３の実施の形態を示す図である。
【０１６３】
ここで、本発明による水処理装置の第３の実施の形態は、浄水排出ラインＰＬ１及び冷水排出ラインＰＬ２が第２排出連結ラインＰＬＣを介して排出側流路切替弁Ｖ２に連結され、排出部材殺菌ラインＬ９が第２排出連結ラインＰＬＣに連結されるという点で、上記図１〜図１０を参考にして説明した本発明による水処理装置の第１の実施の形態と異なる。
【０１６４】
したがって、第１の実施の形態と異なる構成を中心に以下で説明し、第１の実施の形態と同様の構成については、上記図１〜図１０を参照して説明したものに置き換えることができる。
【０１６５】
本発明による水処理装置の第３の実施の形態において、浄水排出ラインＰＬ１及び冷水排出ラインＰＬ２は、図１２に示すように、第２排出連結ラインＰＬＣによって排出側流路切替弁Ｖ２に連結されることができる。また、排出部材殺菌ラインＬ９は、第２排出連結ラインＰＬＣに連結されることができる。
【０１６６】
これにより、貯蔵部３００の排水、又は殺菌もしくはすすぎを行うときに、浄水タンク３１０に貯蔵された浄水、浄水タンク３１０を殺菌した殺菌水、又は浄水タンク３１０を洗い流した浄水が浄水排出ラインＰＬ１を介して排水されるようにすることができる。
【０１６７】
また、浄水タンク３１０に貯蔵された浄水で、殺菌水により殺菌された排出部材５００を洗い流すことができる。また、貯蔵部３００と排出部材５００を互いに連結する流路、例えば、第２排出連結ラインＰＬＣは、殺菌水で殺菌し、その後、浄水タンク３１０に貯蔵された浄水で洗い流すことができる。
【０１６８】
水処理装置の第４の実施の形態
以下、図１３を参照して本発明による水処理装置の第４の実施の形態について説明する。
【０１６９】
図１３は本発明による水処理装置の第４の実施の形態を示す図である。
【０１７０】
ここで、本発明による水処理装置の第４の実施の形態は、貯蔵部３００を含まず、濾過部２００に含まれる複数個の浄水フィルタが、前処理フィルタ２１０、直水用フィルタ２２０’及び後カーボンフィルタ２３０を含むという点で、上記図１〜図１０を参考にして説明した本発明による水処理装置の第１の実施の形態と異なる。
【０１７１】
したがって、第１の実施の形態と異なる構成を中心に以下で説明し、第１の実施の形態と同様の構成については、上記図１〜図１０を参照して説明したものに置き換えることができる。
【０１７２】
図１３に示すように、本発明による水処理装置１００の第４の実施の形態は、貯蔵部３００を含まない。
【０１７３】
すなわち、本発明による水処理装置１００の第４の実施の形態は、濾過部２００により濾過された浄水を貯蔵部３００に貯蔵することなく、排出部材５００を介して外部に排出されるようにした直水式の水処理装置とすることができる。
【０１７４】
そして、本発明による水処理装置１００の第４の実施の形態の濾過部２００は、メンブレンフィルタ２２０の代わりに直水用フィルタ２２０’、例えば、気孔を介して水に含まれる異物を濾過するだけでなく、静電気でも異物を濾過するナノトラップフィルタや、ＵＦ膜（中空糸膜）フィルタなどを含むことができる。
【０１７５】
本発明による水処理装置１００の第４の実施の形態は、上述した実施の形態の貯蔵部３００を含まなくてよい。
【０１７６】
これにより、殺菌水生成部４００は、貯蔵部３００ではなく、濾過部２００と連結された排出部材５００に連結される流路、例えば、後カーボンフィルタ２３０と連結された浄水ラインＬ５に連結される浄水連結ラインＬ６と、メイン殺菌ラインＬ８’によって連結されることができる。メイン殺菌ラインＬ８’には、上述した実施の形態の貯蔵部殺菌ラインＬ８のように、フィード弁ＦＶ３を設けることができる。
【０１７７】
また、貯蔵部３００ではなく、濾過部２００と連結された排出部材５００に連結される流路、例えば、後述する冷水排出弁ＷＶ２が備えられるとともに濾過部２００及びメイン殺菌ラインＬ８’に連結される冷水排出ラインＰＬ２は、排出側流路切替弁Ｖ２と連結されることができる。
【０１７８】
そして、排出部材殺菌ラインＬ９は、貯蔵部３００と排出側流路切替弁Ｖ２を連結するラインではなく、濾過部２００及びメイン殺菌ラインＬ８’を排出側流路切替弁Ｖ２に連結するライン、例えば、上述の冷水排出ラインＰＬ２と連結されることができる。
【０１７９】
また、浄水排出弁ＷＶ１が備えられた浄水排出ラインＰＬ１は、浄水タンク３１０ではなく、濾過部２００、例えば、濾過部２００の後カーボンフィルタ２３０に連結された浄水ラインＬ５に連結される浄水連結ラインＬ６、及び、メイン殺菌ラインＬ８’に連結されることができる。
【０１８０】
そして、冷水排出弁ＷＶ２が備えられた冷水排出ラインＰＬ２は、冷水タンク３２０ではなく、濾過部２００、例えば、濾過部２００の後カーボンフィルタ２３０に連結された浄水ラインＬ５に連結される浄水連結ラインＬ６、及び、メイン殺菌ラインＬ８’と連結されることができる。
【０１８１】
この場合、冷水排出ラインＰＬ２には、冷水生成器３４０を備えることができる。冷水生成器３４０の構成は、特に限定されることはなく、濾過部２００で濾過されて供給された浄水を冷却することで冷水を生成することができる構成であれば、周知のいかなる構成であってもよい。
【０１８２】
また、温水排出弁ＷＶ３が備えられた温水排出ラインＰＬ３も、温水タンク３３０ではなく、濾過部２００、例えば、濾過部２００の後カーボンフィルタ２３０に連結された浄水ラインＬ５に連結される浄水連結ラインＬ６、及び、メイン殺菌ラインＬ８’と連結されることができる。
【０１８３】
この場合、温水排出ラインＰＬ３には瞬間温水器３５０を備えることができる。瞬間温水器３５０の構成は、特に限定されることはなく、濾過部２００で濾過されて供給された浄水を加熱することで温水を生成することができる構成であれば、周知のいかなる構成であってもよい。
【０１８４】
かかる構成により、濾過部２００によって濾過された浄水は、浄水排出ラインＰＬ１及び排出部材５００を介して外部に排出されて、ユーザーに供給されることができる。
【０１８５】
また、濾過部２００によって濾過された浄水は、冷水排出ラインＰＬ２の冷水生成器３４０によって冷却されて冷水となり、冷水排出ラインＰＬ２及び排出部材５００を介して外部に排出されて、ユーザーに供給されることができる。
【０１８６】
そして、濾過部２００によって濾過された浄水は、温水排出ラインＰＬ３の瞬間温水器３５０によって加熱されて温水となり、温水排出ラインＰＬ３及び排出部材５００を介して外部に排出されて、ユーザーに供給されることができる。
【０１８７】
また、殺菌水生成部４００で生成された殺菌水は、メイン殺菌ラインＬ８’を介して、浄水排出ラインＰＬ１、冷水排出ラインＰＬ２及び冷水生成器３４０、又は温水排出ラインＰＬ３及び瞬間温水器３５０を流動し、これらを殺菌して、メインドレンラインＤＬ１を介して外部に排水されることができる。
【０１８８】
そして、浄水排出ラインＰＬ１、冷水排出ラインＰＬ２及び冷水生成器３４０、又は温水排出ラインＰＬ３及び瞬間温水器３５０が殺菌されると、濾過部２００によって濾過された浄水は、これらを洗い流して、メインドレンラインＤＬ１を介して外部に排水されることができる。
【０１８９】
そして、殺菌水生成部４００によって生成された殺菌水は、排出部材殺菌ラインＬ９を介して排出部材５００に供給され、排出されてドレン容器６００に収容されることで、排出部材５００を殺菌することができる。
【０１９０】
上述したように排出部材５００が殺菌された後、濾過部２００によって濾過された浄水は、排出部材５００を洗い流して、ドレン容器６００に収容されることができる。
【０１９１】
一方、本発明による水処理装置１００の第４の実施の形態において、排出部材殺菌ラインＬ９、浄水排出ラインＰＬ１、冷水排出ラインＰＬ２、温水排出ラインＰＬ３、排出側流路切替弁Ｖ２、排出部材５００の連結関係、及び排出部材５００の構成は、図１３に示されたものに限定されることはなく、図１１及び図１２に示された本発明による水処理装置１００の第２の実施の形態及び第３の実施の形態のように変更することもできる。
【０１９２】
また、後カーボンフィルタ２３０は、濾過部２００の前処理フィルタ２１０及び直水用フィルタ２２０’によって濾過された浄水でフラッシングされ、かかる浄水がメインドレンラインＤＬ１に排水されることができる。
【０１９３】
上述したように、本発明による水処理装置を用いると、濾過部で濾過された浄水を外部に排出する排出部材と、排出部材に連結される流路のうち少なくとも一部とが、殺菌水生成部によって生成された殺菌水で殺菌されることができる。また、濾過部で濾過された浄水を貯蔵する貯蔵部も、殺菌水生成部によって生成された殺菌水で殺菌することができる。排出部材に連結される流路のうち少なくとも一部は、一定周期毎に殺菌されるようにすることができる。また、殺菌水によって殺菌された、排出部材及び排出部材に連結される流路は、貯蔵部に貯蔵された浄水、又は、濾過部によって濾過された浄水で洗い流されるようにすることができるとともに、貯蔵部も、濾過部によって濾過された浄水で洗い流されるようにすることができる。さらに、濾過部に含まれる後カーボンフィルタは、濾過部に含まれる前処理フィルタ及びメンブレンフィルタ、又は、前処理フィルタ及び直水用フィルタによって濾過された浄水でフラッシングされるようにすることができる。
【０１９４】
上記のように説明した水処理装置は、上述した複数の実施の形態の構成に限定されることなく適用することができ、各実施の形態の全部又は一部を選択的に組み合わせることにより、上記の実施の形態を様々に変形することができる。
【図１】
2018528066.tif 000003
【図２】
2018528066.tif 000004
【図３】
2018528066.tif 000005
【図４】
2018528066.tif 000006
【図５】
2018528066.tif 000007
【図６】
2018528066.tif 000008
【図７】
2018528066.tif 000009
【図８】
2018528066.tif 000010
【図９】
2018528066.tif 000011
【図１０】
2018528066.tif 000012
【図１１】
2018528066.tif 000013
【図１２】
2018528066.tif 000014
【図１３】
2018528066.tif 000015
【国際調査報告】
2018528066.tif 000016
2018528066.tif 000017
2018528066.tif 000018
2018528066.tif 000019